(57)【特許請求の範囲】
【請求項１】
原稿画像を読み取る画像読取部と、読み取った画像データによって画像を形成する画像形成部とを有し、上記画像読取部を上記画像形成部の上側に設けるとともに上記画像読取部と上記画像形成部の間に防振ゴムを設け、上記画像読取部と上記画像形成部とをヒンジ部材で結合して上記画像読取部を上記画像形成部の上側で回転開放可能としてなる画像形成装置において、上記画像読取部が上記画像形成部の上側に載置されている状態時に、上記ヒンジ部材のピン部が上記画像形成部側のピン穴に挿入されず、上記画像読取部を回転開放させる時に上記ヒンジ部材をスライドさせて上記ピン部を上記ピン穴に挿入させる構造としてなることを特徴とする画像形成装置。
【請求項２】
上記ヒンジ部材のピン部が、上記ピン穴への挿入方向先端部が根元部よりも細く、かつ該先端部の径を上記ピン穴径よりも小さくしてなり、上記画像読取部が上記画像形成部の上側に載置されている状態時に、上記ピン部の上記先端部が上記ピン穴に挿入され、上記画像読取部を回転開放させる時に上記ヒンジ部材をスライドさせて上記ピン部の根元部を上記ピン穴に挿入させる構造としてなることを特徴とする請求項１の画像形成装置。
【発明の詳細な説明】
【０００１】
【発明の属する技術分野】
本発明は、ヒンジ部材で画像読取部と画像形成部を結合した画像形成装置において、ヒンジ部からの振動の伝達を防止することができる構造に関する。
【０００２】
【従来の技術及び発明が解決しようとする課題】
原稿画像を読み取るスキャナ（画像読取部）と、読み取った画像データによって画像を形成するプリンタ（画像形成部）とを有し、スキャナをプリンタの上側に設け、スキャナとプリンタの間に防振ゴムを設け、スキャナとプリンタとをヒンジ部材で結合し、スキャナをプリンタの上側で回転開放可能とした画像形成装置においては、プリンタで発生した振動がヒンジ部材を介してスキャナに伝達され、スキャナ内のミラー等の光学部材を振動させ、これに起因する異常画像の発生等の悪影響が生じることが問題となっている。そこでこれを排除し、振動によるを悪影響を防止する必要があり、たとえば特開平１０−２６８５９９号公報に開示の画像形成装置のような提案がなされているが、本願発明はこれとは異なる解決策を提案しようとするものである。
【０００３】
【課題を解決するための手段】
本発明の画像形成装置のうち請求項１に係るものは、上記目的を達成するために、原稿画像を読み取る画像読取部と、読み取った画像データによって画像を形成する画像形成部とを有し、上記画像読取部を上記画像形成部の上側に設けるとともに上記画像読取部と上記画像形成部の間に防振ゴムを設け、上記画像読取部と上記画像形成部とをヒンジ部材で結合して上記画像読取部を上記画像形成部の上側で回転開放可能としてなる画像形成装置において、上記画像読取部が上記画像形成部の上側に載置されている状態時に、上記ヒンジ部材のピン部が上記画像形成部側のピン穴に挿入されず、上記画像読取部を回転開放させる時に上記ヒンジ部材をスライドさせて上記ピン部を上記ピン穴に挿入させる構造としてなることを特徴とする。
【０００４】
同請求項２に係るものは、上記目的を達成するために、上記ヒンジ部材のピン部が、上記ピン穴への挿入方向先端部が根元部よりも細く、かつ該先端部の径を上記ピン穴径よりも小さくしてなり、上記画像読取部が上記画像形成部の上側に載置されている状態時に、上記ピン部の上記先端部が上記ピン穴に挿入され、上記画像読取部を回転開放させる時に上記ヒンジ部材をスライドさせて上記ピン部の根元部を上記ピン穴に挿入させる構造としてなることを特徴とする。
【０００５】
【発明の実施の形態】
以下本発明の実施の形態を図面を参照して説明する。
図１は本発明に係る画像形成装置の一実施形態を示す正面断面図である。本実施形態の画像形成装置は、原稿画像を読み取るスキャナ部１と、読み取った画像データによって画像を形成するプリンタ部２とを有し、スキャナ部１はプリンタ部２の上側にあり、スキャナ部１とプリンタ部２とはヒンジ部材（図１では図示を省略してある。）で結合してあり、スキャナ部１はプリンタ部２の上側で回転開放可能となっている。またスキャナ部１とプリンタ部２の間には防振ゴム３が設けてある。なお図中４は感光体、５は多色リボルバ現像器を示す。
【０００６】
図２はスキャナ部１を上方向に回転開放させたときの状態を示す概略図で、図２（Ａ）は開放方向が画像形成装置正面（図１が正面から見た図である。）見て左右方向（図示は右側開放）のものを、図２（Ｂ）は画像形成装置正面から見て前後方向（図示は前側方向）のものを示す。図中６がヒンジ部材である。
【０００７】
図３はプリンタ部２とヒンジ部材６の位置関係を示す概略図である。ヒンジ部材６はＬ字状の板部材６ａとピン部６ｂとからなり、スキャナ部１あるいはこれに取り付けた支持部材に板部材６ａに設けた長穴６ｃによってスライド可能に取り付けてある。そしてスキャナ部１がプリンタ部２の上に通常に載置されている状態では、ヒンジ部材６のピン部６ｂがプリンタ部２に設けた結合穴２ａ内に入り込まず、したがって接触部分がない形態をとり得るようにしてある。そして、スキャナ部１を回転開放させる状態では、ヒンジ部材６をピン部６ｂがプリンタ部２の結合穴２ａ内に入り込むようにスライドさせ、スキャナ部１をプリンタ部２で支持させ、スキャナ部１をスムーズに回転開放可能とする。なおピン部６ｂの径は、結合穴２ａの径とほぼ同一かもしくは若干細径とすればよいが、もちろんスライド時にピン部６ｂが結合穴２ａ内へスムーズには入り込めるものとする。
【０００８】
図４は本発明に係る画像形成装置の他の実施形態における図３相当の概略図である。本実施形態のヒンジ部材６はピン部６ｂが細径の先端部６ｄを有し、スキャナ部１がプリンタ部２の上に通常に載置されている状態では、ピン部６ｂは結合穴２ａ内に入り込まないが、先端部６ｄが結合穴２ａ内に入り込んでいる形態をとり得るようにしてある。そして、スキャナ部１を回転開放させる状態では、ヒンジ部材６をピン部６ｂがプリンタ部２の結合穴２ａ内に入り込むようにスライドさせ、スキャナ部１をプリンタ部２で支持させ、スキャナ部１をスムーズに回転開放可能とする。すなわちスキャナ部１がプリンタ部２の上に通常に載置されている状態では、ピン部６ｂの先端部６ｄが画像形成装置の輸送等の振動状態でのスキャナ部１のロック機能を発揮することができるようになっている。その他は先の実施形態と同様であるので説明を省略する。
【０００９】
【発明の効果】
請求項１に係る画像形成装置は、以上説明してきたように、原稿画像を読み取る画像読取部が、読み取った画像データによって画像を形成する画像形成部の上側にあって、画像読取部と画像形成部とがヒンジ部材で結合され、また画像読取部が画像形成部の上側で回転開放可能になっており、画像読取部と画像形成部の間に防振ゴムが設けられている画像形成装置において、画像読取部が画像形成部の上側に載置されている通常時には、ヒンジ部材のピン部がピン穴に非挿入でピン部と穴部とが接触せず、画像読取部を回転開放させるときにヒンジ部材をスライドさせてピン部をピン穴に挿入する構造としたので、通常時には画像読取部と画像形成部とが防振ゴムを介しては接触しているもののヒンジ部材を介しては非接触となり、ヒンジ部材を介した振動伝達が排除でき、振動による異常画像の発生を防止できるとともに、画像読取部を回転開放させる時にのみヒンジ部材による結合を行ってガタツキなくスムーズに回転開放操作が行えるようになるという効果がある。
【００１０】
請求項２に係る画像形成装置は、以上説明してきたように、スライドさせるヒンジ部材のピン部が、ピン穴への挿入方向先端部が根元部よりも細く、その先端部の径をピン穴径よりも小さくし、画像読取部が画像形成部の上側に載置されている状態時には先端部がピン穴に挿入され、画像読取部を回転開放させる時にヒンジ部材をスライドさせてピン部の根元部をピン穴に挿入させる構造としたので、上記共通の効果に加え、通常時はヒンジ部材のピン部が画像形成装置の輸送等の振動状態での画像読取部のロック機能を兼ねることができるようになるという効果がある。
【図面の簡単な説明】
【図１】本発明に係る画像形成装置の一実施形態を示す正面断面図である。
【図２】図１の装置のスキャナ部を上方向に回転開放させたときの状態を示す概略図である。
【図３】図１の装置のプリンタ部とヒンジ部材の位置関係を示す概略図である。
【図４】本発明に係る画像形成装置の他の実施形態における図３相当の概略図である。
【符号の説明】
１  スキャナ部
２  プリンタ部
２ａ  結合穴
３  防振ゴム
４  感光体
５  多色リボルバ現像器
６  ヒンジ部材
６ａ  板部材
６ｂ  ピン部
６ｃ  長穴
６ｄ  先端部
【図１】
0003917784.tif 000002
【図２】
0003917784.tif 000003
【図３】
0003917784.tif 000004
【図４】
0003917784.tif 000005